(57)【要約】      （修正有）【課題】大容量の情報記録媒体から小容量の情報記録媒体に複数の番組を予約録画するとき、小容量の情報記録媒体の記録容量で予約の何番目まで記録できるかの計算を不要とし得る画像記録再生装置を提供する。【解決手段】第１の情報記録媒体と、これより記録容量が小さく着脱自在の第２の情報記録媒体とを備え、第１の記録手段によって第１の情報記録媒体に受信ＴＶ信号を記録し続け、記憶手段に予め記憶された番組録画の予約設定情報に従い、第１の情報記録媒体から当該予約番組に関した記録情報を読み出し第２の記録手段により第２の情報記録媒体に記録する画像記録再生装置において、入力手段から予約設定情報が送出されてきたとき、その予約時間と第２の情報記録媒体の記録容量とを比較し、予約設定情報が定期的な番組録画予約で、その予約の何番目かの時点で記録容量が不足の場合、他に第２の情報記録媒体が必要であることを表示させる。【選択図】図１
2005204223.tif 000002
【特許請求の範囲】
【請求項１】
第１の情報記録媒体と、この第１の情報記録媒体よりも記録容量が小さく着脱自在の第２の情報記録媒体とを備え、第１の画像信号記録手段によって前記第１の情報記録媒体に受信テレビジョン信号を書き換えつつ記録し続け、記憶手段に予め記憶された番組録画の予約設定情報に従い、前記第１の情報記録媒体から当該予約番組に関した記録情報を読み出して第２の画像信号記録手段により前記第２の情報記録媒体に記録する画像記録再生装置において、
前記番組録画の予約設定情報を入力する入力手段と、
前記番組録画の予約設定情報を表示する表示手段と、
前記入力手段から予約設定情報が送出されてきたとき、この予約設定情報の予約時間と前記第２の情報記録媒体の記録容量とを比較し、前記予約設定情報が定期的な番組録画予約であって、その予約の何番目かの時点で記録容量が不足の場合、他に第２の情報記録媒体が必要であることを表示させる制御を行う制御手段と、を具備してなる画像記録再生装置。
【請求項２】
第１の情報記録媒体と、この第１の情報記録媒体よりも記録容量が小さく着脱自在の第２の情報記録媒体とを備え、第１の画像信号記録手段によって前記第１の情報記録媒体に受信テレビジョン信号を書き換えつつ記録し続け、記憶手段に予め記憶された番組録画の予約設定情報に従い、前記第１の情報記録媒体から当該予約番組に関した記録情報を読み出して第２の画像信号記録手段により前記第２の情報記録媒体に記録する画像記録再生装置において、
前記番組録画の予約設定情報を入力する入力手段と、
前記番組録画の予約設定情報を表示する表示手段と、
前記入力手段から予約設定情報が送出されてきたとき、この予約設定情報の予約時間と前記第２の情報記録媒体の記録容量とを比較し、この記録容量が不足の場合、他に第２の情報記録媒体が必要であることを表示させる制御を行う制御手段と、を具備してなる画像記録再生装置。
【請求項３】
前記制御手段は、前記予約設定情報が定期的な番組録画予約であると、その予約の何番目かの時点で容量不足の場合、他に第２の情報記録媒体が必要であることを表示させる制御を行うことを特徴とする請求項１に記載の画像記録再生装置。
【請求項４】
前記第２の情報記録媒体が、光ディスクであることを特徴とする請求項１に記載の画像記録再生装置。
【発明の詳細な説明】
【技術分野】
【０００１】
本発明は、テレビジョンの放送番組をハードディスク（ＨＤ：Hard Disc）に長時間記録するＤＶＤレコーダ等の画像記録再生装置に係り、特に、ＨＤに記録された番組をＤＶＤ(Digital Versatile Disc)に再記録させ得る画像記録再生装置に関する。
【背景技術】
【０００２】
放送番組をＤＶＤ等の情報記録媒体に録画する場合、このＤＶＤの記録容量を有効に利用することを目的とした画像記録再生装置が提案されている。
【０００３】
このものは、設定情報記憶手段に記憶されている番組録画の予約設定情報が、定期的に予約録画を行うことを示す番組録画の予約設定であるとき、当該番組の録画に先だって過去の録画を消去するように予約録画を制御する構成になっている（例えば、特許文献１参照）。
【０００４】
これにより、複数回にわたって放送される番組の録画が予約されたときでも、記録に消費される容量が著しく増加することなく、記録媒体の記録容量を有効利用することができるとともに、ユーザーの消去操作の負担も軽減できるというものである。
【特許文献１】特開２００２−３３９８６号公報
【発明の開示】
【発明が解決しようとする課題】
【０００５】
しかしながら、上記特許文献１の画像記録再生装置は、予約の何番目かの時点で記録容量が不足することに気づいた場合、現在、セットされている情報記録媒体の記録容量から、予約の何番目まで記録できるかを計算しなければならず、甚だ煩わしいものであった。
そこで、本発明は、上記の問題に鑑みてなされたものであり、大容量の情報記録媒体から小容量の情報記録媒体に複数の番組を予約録画するとき、この小容量の情報記録媒体の記録容量を考えて予約の何番目まで記録できるかの煩わしい計算を不要とし得る画像記録再生装置を提供することを目的としている。                 
【課題を解決するための手段】
【０００６】
上記目的を達成するため、本発明による画像記録再生装置は、第１の情報記録媒体と、この第１の情報記録媒体よりも記録容量が小さく着脱自在の第２の情報記録媒体とを備え、第１の画像信号記録手段によって前記第１の情報記録媒体に受信テレビジョン信号を書き換えつつ記録し続け、記憶手段に予め記憶された番組録画の予約設定情報に従い、前記第１の情報記録媒体から当該予約番組に関した記録情報を読み出して第２の画像信号記録手段により前記第２の情報記録媒体に記録する画像記録再生装置において、前記番組録画の予約設定情報を入力する入力手段と、前記番組録画の予約設定情報を表示する表示手段と、前記入力手段から予約設定情報が送出されてきたとき、この予約設定情報の予約時間と前記第２の情報記録媒体の記録容量とを比較し、前記予約設定情報が定期的な番組録画予約であって、その予約の何番目かの時点で記録容量が不足の場合、他に第２の情報記録媒体が必要であることを表示させる制御を行う制御手段と、を具備してなる。
【０００７】
また、上記目的を達成するための本発明による画像記録再生装置は、第１の情報記録媒体と、この第１の情報記録媒体よりも記録容量が小さく着脱自在の第２の情報記録媒体とを備え、第１の画像信号記録手段によって前記第１の情報記録媒体に受信テレビジョン信号を書き換えつつ記録し続け、記憶手段に予め記憶された番組録画の予約設定情報に従い、前記第１の情報記録媒体から当該予約番組に関した記録情報を読み出して第２の画像信号記録手段により前記第２の情報記録媒体に記録する画像記録再生装置において、前記番組録画の予約設定情報を入力する入力手段と、前記番組録画の予約設定情報を表示する表示手段と、前記入力手段から予約設定情報が送出されてきたとき、この予約設定情報の予約時間と前記第２の情報記録媒体の記録容量とを比較し、この記録容量が不足の場合、他に第２の情報記録媒体が必要であることを表示させる制御を行う制御手段と、を具備してなる。
【０００８】
また、前記制御手段は、前記予約設定情報が定期的な番組録画予約であると、その予約の何番目かの時点で容量不足の場合、他に第２の情報記録媒体が必要であることを表示させる制御を行うことを特徴とする。
【０００９】
また、前記第２の情報記録媒体が、光ディスクであることを特徴とする。
【発明の効果】
【００１０】
以上説明したように、本発明によれば、入力手段から予約設定情報が送出されてきたとき、この予約設定情報の予約時間と第２の情報記録媒体の記録容量とを比較し、予約設定情報が定期的な番組録画予約であって、その予約の何番目かの時点で記録容量が不足の場合、他に第２の情報記録媒体が必要であることを表示させるので、従来のように、第２の情報記録媒体の記録容量を考えて予約の何番目まで記録できるかの煩わしい計算をする必要がなくなる効果がある。
【００１１】
また、本発明によれば、入力手段から予約設定情報が送出されてきたとき、この予約設定情報の予約時間と第２の情報記録媒体の記録容量とを比較し、この記録容量が不足の場合、他に第２の情報記録媒体が必要であることを表示させるので、従来のように、第２の情報記録媒体の記録容量を考えて予約番組のどの時間帯まで記録できるかの煩わしい計算をする必要がなくなる効果がある。
【００１２】
また、前記制御手段は、予約設定情報が定期的な番組録画予約であると、その予約の何番目かの時点で容量不足の場合、他に第２の情報記録媒体が必要であることを表示させるので、第２の情報記録媒体の記録容量を考えて予約の何番目まで記録できるかの煩わしい計算をする必要がなくなるうえに、セット中の第２の情報記録媒体と次にセットすべき第２の情報記録媒体に無駄なく番組録画を行える利点がある。
【００１３】
また、前記第２の情報記録媒体が、光ディスクであるから、その記録容量に応じて有効な番組録画を行える利点がある。
【発明を実施するための最良の形態】
【００１４】
以下、本発明の画像記録再生装置の実施形態について、図面を参照しながら詳述する。
図１は本発明の一実施形態である画像記録再生装置の電気的構成を示すブロック線図である。
本実施形態の画像記録再生装置は、ＤＶＤプレイヤーに適用されたもので、テレビジョン放送番組の受信映像・音声信号を、ＭＰＥＧ（Moving Picture Experts Group）方式により圧縮符号化し、多重化したうえＭＰＥＧシステムのトランスポートストリーム（ＴＳ：Transport Stream）としてＨＤＤ内のハードディスクに更新記録し、この記録された映像・音声信号をＤＶＤに録画する構成になっている。
１はチューナであり、アンテナで受信されたテレビジョン放送の信号が導かれている。このチューナ１には、制御部１８の指令信号が導かれ、ＹＣ分離回路２とＡ／Ｄ変換回路７とが接続されている。
【００１５】
そして、図示省略したリモコンの入力操作に基づく制御部１８の指令により、選局されたチャンネルのコンポジット映像信号がＹＣ分離回路２に送出される一方、コンポジット音声信号がＡ／Ｄ変換回路７に送出される。
【００１６】
ＹＣ分離回路２には、ＮＴＳＣ（National Television System Committee）デコーダ３が接続されており、コンポジット映像信号を輝度信号と色差信号とに分離して、ＮＴＳＣデコーダ３に伝送する。
このＮＴＳＣデコーダ３は、輝度信号および色差信号をそれぞれＡ／Ｄ変換した後、さらに、クロマエンコード処理することにより、このＮＴＳＣデコーダ４からコンポーネント映像データを得るようになっている。
このＮＴＳＣデコーダ３には、プリ映像処理回路４を介してＭＰＥＧ映像エンコーダ５が接続されており、その映像データがプリ映像処理回路４に出力されると、プリフィルタリング処理された後、ＭＰＥＧ映像エンコーダ５およびポスト映像処理回路１３側に供給される。
ＭＰＥＧ映像エンコーダ５は、プリ映像処理回路４からの映像データに対してブロックＤＣＴ（Discrete Cosine Transform）などの符号化処理を施してから、映像エレメンタリストリーム（ＥＳ：Elementary Stream）を生成し、マルチプレクサ／デマルチプレクサ６に供給する。
一方、前記Ａ／Ｄ変換回路７には、ＭＰＥＧ音声エンコーダ８と出力切換回路１５とが接続されており、アナログのコンポジット音声信号をディジタル音声データに変換して、ＭＰＥＧ音声エンコーダ８および出力切換回路１５に送出する。
ＭＰＥＧ音声エンコーダ８には、マルチプレクサ／デマルチプレクサ６が接続されており、Ａ／Ｄ変換回路７からのディジタル音声データをＭＰＥＧ方式によって圧縮符号化し、音声エレメンタリストリームを生成してマルチプレクサ／デマルチプレクサ６に供給する。
このマルチプレクサ／デマルチプレクサ６は、バッファコントローラ９に接続される一方、ＭＰＥＧ映像音声エンコーダ１２が接続されており、制御部１８の指令によって、記録モードまたは再生モード時のデータ処理を行う。
記録モード時には、マルチプレクサ／デマルチプレクサ６が、そのマルチプレクサでＭＰＥＧ映像エンコーダ５からの映像エレメンタリストリームと、ＭＰＥＧ音声エンコーダ８からの音声エレメンタリストリームおよび各種の制御信号を多重化し、ＭＰＥＧシステムのトランスポートストリームを生成して、バッファコントローラ９に送出する。
このバッファコントローラ９は、マルチプレクサ／デマルチプレクサ６から連続的に入力するトランスポートストリームを、ハードディスクドライブ１０に送出する。
この際、バッファコントローラ９は、トランスポートストリームを一時的に蓄積しつつ送出処理するので、途切れることなくハードディスクドライブ１０に供給される。
このハードディスクドライブ１０には、制御部１８の指令信号が導かれており、出力がディスクドライブ１１に接続されている。
【００１７】
このハードディスクドライブ１０は、制御部１８の記録指令に応じてハードディスクにトランスポートストリームを書き込んで更新記録し、再生指令に従って記録情報を再生しつつディスクドライブ１１に供給する。
このディスクドライブ１１には、ディスク（ＤＶＤ）が挿入セットされ、制御部１８の指令に従って、ＤＶＤにトランスポートストリームを記録させる。
これにより、ハードディスクに長時間にわたって書き込まれた放送番組のうち、予め選択された放送番組をＤＶＤに録画することができる。
【００１８】
一方、再生モード時は、制御部１８の再生指令に従って、ハードディスクドライブ１０がハードディスクからトランスポートストリームを読み出し、バッファコントローラ９に送出する。
【００１９】
このバッファコントローラ９は、記録モード時とは逆に、ハードディスクドライブ１０がハードディスクから断続的に入力するトランスポートストリームを、連続的なトランスポートストリームに変換し、マルチプレクサ／デマルチプレクサ６に供給する。
【００２０】
このマルチプレクサ／デマルチプレクサ６は、そのデマルチプレクサで連続的なトランスポートストリームのヘッダを解析処理することにより、トランスポートストリームからＰＥＳ（Packetized Elementary Stream）が分離されて、ＭＰＥＧ映像音声エンコーダ９に送出される。
このＭＰＥＧ映像音声エンコーダ１２には、ポスト映像処理回路１３と出力切換回路１５とが接続されており、前記ＰＥＳを映像エレメンタリストリームと音声エレメンタリストリームとに分離する。
さらに、映像エレメンタリストリームが、そのＭＰＥＧ映像エンコーダにより複合化されて、ベースバンドの映像データに変換される一方、その音声エレメンタリストリームが、ＭＰＥＧ音声エンコーダにより複合化されて、ベースバンドの音声データにそれぞれ変換される。
そして、変換後の映像データが、ポスト映像処理回路１３に送出される一方、音声データが出力切換回路１５に送出される。
ポスト映像処理回路１３には、図示省略したＯＳＤ（On Screen Display）回路が接続されており、制御部１８の指令に従って、ＭＰＥＧ映像音声エンコーダ１２からの映像データおよびプリ映像処理回路４からの映像データに対し、両者の切り換え、または合成やポストフィルタリング処理などを施す。
また、このポスト映像処理回路１３は、ＧＵＩ（Graphical UserInterface）用に代表画面を生成し、複数の代表画面を縮小してウインドウに貼り付ける処理を施し、処理後の映像データをＯＳＤ回路に供給する。
このＯＳＤ回路は、制御部１８の指令によりテキスト情報等に対応する画像データを生成し、ポスト映像処理回路１３からの映像データの前記ウインドウ部分の映像データに重畳する処理を施し、処理後の映像データをＮＴＳＣエンコーダ１４に送出する。
このＮＴＳＣエンコーダ１４は、ＯＳＤ回路からのコンポジット映像データを、輝度データと色差データとに変換したうえ、あるいは無変換でＤ／Ａ変換することにより、アナログのセパレート映像信号およびコンポジット映像信号を生成する。
そして、このセパレート映像信号およびコンポジット映像信号は、出力端子を介しモニタ装置１７に供給する。
一方、出力切換回路１５には、Ｄ／Ａ変換器１６が接続されており、制御部１８の指令によって、ＭＰＥＧ映像音声エンコーダ１２からの音声データまたは、Ａ／Ｄ変換回路７からのディジタル音声データの何れかが選択的に取り出される。
また、この取り出された音声データは、Ｄ／Ａ変換器１６によりアナログの音声信号に変換されて、出力端子を介しモニタ装置１７に供給する。
このモニタ装置１７は、テレビジョン受像機であり、リモコン操作に基づく制御部１８の指令に従って、受信チャンネルのテレビジョン放送番組やＤＶＤの再生画像をその画面１７ａに映し出し、かつこれに同期して音声をスピーカから放音する。
制御部１８は、装置全体の動作を制御するマイクロコンピュータであって、前記回路各部とその機能に応じて一方向あるいは双方向性に接続されている。
この制御部１８は、リモコンから予約設定情報が送出されてきたとき、この予約設定情報の予約時間とＤＶＤの記録容量とを比較し、予約設定情報が定期的な番組録画予約であって、その予約の何番目かの時点で記録容量が不足の場合、他にＤＶＤが必要であることをモニタ装置１７の画面１７ａに表示させる制御を行う構成になっている。
次に、上記ＤＶＤプレイヤーの動作について、図を参照しつつ説明する。
ここでは、ユーザーが毎週火曜日の２０時００分から２１時００分まで放送される子供番組、例えば、「子豚物語」を毎週記録しつつ、ＤＶＤに予約録画する場合について説明する。
なお、このＤＶＤプレイヤーに内蔵されたハードディスクが、例えば、１６０ＧＢであると、約２００時間の連続記録が可能であり、２５０ＧＢであると、約３２０時間となる。
よって、ある放送時間帯のみを記録するのであれば、１ヶ月から数ヶ月にわたる長期の連続記録が可能である。
また、録画用のＤＶＤとして、最も多用されているＤＶＤ−ＲＷを用いる場合、市販されている標準品であると、記録モードの違いにより、片面４，７ＧＢで約１〜４時間分の記録ができる。
このＤＶＤ−ＲＷがＨＤＤにセットされると、そのリードインエリヤから管理情報が読み取られ、ＤＶＤ−ＲＷの残容量を示すデータ等が制御部１８に送出される。この制御部１８は、これに応じて残容量等の管理情報をメモリに記憶しておく。
まず、ユーザーが、リモコンによりチャンネル、録画開始・終了時刻等を入力すると、これを受けて制御部１８がメモリに予約情報を記憶させるとともに、図２に示す如く画面１７ａに予約リストを表示させる。
そして、「子豚物語」の放送時間帯になると、予約プログラムを実行し、ハードディスクへの記録を毎週実行する。
この際は、アンテナで受信されたテレビジョン放送信号のうち、選局されたチャンネルのコンポジット映像信号がＹＣ分離回路２に送出されるとともに、コンポジット音声信号がＡ／Ｄ変換回路７に送出される。
これらの信号は、回路各部で変換処理された後、マルチプレクサ／デマルチプレクサ６から出力されるトランスポートストリームがディスクドライブ１１によってハードディスクに順次書き込まれてゆく。
そして、このハードディスクの全容量まで記録されると、先頭に戻って更新記録を続行する。
このような更新記録中、制御部１８は、その記録時間とメモリに記憶してあるＤＶＤ−ＲＷの残容量時間とを比較する。
その結果、例えば、３週間分を記録した時点でＤＶＤ−ＲＷ１枚分になることが算出されると、図３に示すように、画面１７ａに録画済番組リストを表示させる。
よって、ユーザーは、毎週火曜放送の「子豚物語」が、９月２日、９日、１６日の３回分録画されていることを確認することができる。
続いて、制御部１８は、図４に示すように、「子豚物語９／２−９／１６でＤＶＤ−ＲＷ１枚分になります。ＤＶＤ−ＲＷに保管しますか？“ＹＥＳ”，“Ｎｏ”」を文字表示させる。
ユーザーが、このまま録画しておけば良いと思い、“ＹＥＳ”を選択操作すると、制御部１８は、ディスクドライブ１１とＨＤＤを制御し、ハードディスクに記録されたトランスポートストリームを読み出させて、ＤＶＤ−ＲＷに録画させる。
これにより、３週間分の「子豚物語」が１枚のＤＶＤ−ＲＷに自動録画される。よって、現在セットされているＤＶＤ−ＲＷに「子豚物語」を連続録画したい場合、残容量から予約の何番目まで録画できるかを計算する必要がなくなる。
そして、ユーザーが続いて録画したい場合は、他のＤＶＤ−ＲＷをＨＤＤに挿入セットすればよい。
【００２１】
なお、本発明は上記の各実施形態に限定されず、本発明の趣旨を逸脱しない範囲で、種々の変更が可能である。
【図面の簡単な説明】
【００２２】
【図１】本発明の一実施形態である画像記録再生装置の電気的構成を示すブロック線図である。
【図２】モニタに表示された予約リスト画面図である。
【図３】モニタに表示された録画済番組リスト画面図である。
【図４】小容量の情報記録媒体に記録するか否かを問う画面図である。
【符号の説明】
【００２３】
１０    第１の画像信号記録手段
１１    第２の画像信号記録手段
１８    制御手段
【図１】
2005204223.tif 000003
【図２】
2005204223.tif 000004
【図３】
2005204223.tif 000005
【図４】
2005204223.tif 000006